(57)【要約】      （修正有）【課題】第１ブラシに対し第２ブラシが容易に着脱可能であって、収納に便利な清掃用具を提供する。【解決手段】清掃用具が、ブラシ台１２、ブラシ台１２の下面に設けられたブラシ毛１３、及びブラシ台１２の上面に設けられた弓状の取っ手１１を有する第１のブラシ１と、ブラシ台２２、ブラシ台２２の下面に設けられたブラシ毛２３、及びブラシ台２２の上面に一方の端部が設けられた円弧状の取っ手２１を有する第２のブラシ２と、を備える。ブラシ台１２の前端に前端係合部が設けられ、ブラシ台２２の後端に前端係合部と係合する被係合部が設けられ、取っ手１１は、ブラシ台１２の上面から上方に突出して後方に延びる２つの側面部と２つの側面部間に設けられた中央部とを有し、中央部の後端部には第１の段差部が設けられ、取っ手２１には第１の段差部と係合する第２の段差部が設けられる。【選択図】図１
0003216442.tif 000002
【実用新案登録請求の範囲】
【請求項１】
第１のブラシ台と、該第１のブラシ台の下面に設けられた第１のブラシ毛と、前記第１のブラシ台の上面に設けられた弓状の第１の取っ手とを有し、該第１の取っ手が前記第１のブラシ台の長さ方向に沿って設けられた第１のブラシと、
第２のブラシ台と、該第２のブラシ台の下面に設けられた第２のブラシ毛と、前記第２のブラシ台の上面に一方の端部が設けられた円弧状の第２の取っ手とを有する第２のブラシと、を備え、
前記第１のブラシ台の前端に前端係合部が設けられ、前記第２のブラシ台の後端に前記前端係合部と係合する被係合部が設けられ、
前記第１の取っ手は、前記第１のブラシ台の上面から上方に突出して後方に延びる２つの側面部と該２つの側面部間に設けられた中央部とを有し、該中央部の後端部には第１の段差部が設けられ、前記第２の取っ手には該第１の段差部と係合する第２の段差部が設けられ、
前記第１のブラシと前記第２のブラシとを組み合わせる場合に、前記第２の取っ手の一部は前記第１の取っ手内に収納され、前記前端係合部と前記被係合部とが係合し、前記第１の段差部と前記第２の段差部とが係合する、清掃用具。
【請求項２】
前記第２の取っ手は、前記第１のブラシと前記第２のブラシとを組み合わせる場合に、前記中央部の上端部が入る溝を有する、請求項１に記載の清掃用具。
【請求項３】
前記第２の取っ手の他方の端部近傍には、第３のブラシ毛を設ける平面部を有する、請求項１又は２に記載の清掃用具。
【請求項４】
前記平面部の前側の端部は前記第２の段差部を構成する、請求項３に記載の清掃用具。
【請求項５】
前記第２の取っ手の他方の端部近傍に開口部を有する、請求項１から４のいずれか１項に記載の清掃用具。
【考案の詳細な説明】
【技術分野】
【０００１】
本考案は、第１ブラシに対し第２ブラシが着脱自在に装着可能な清掃用具に関する。
【背景技術】
【０００２】
第１ブラシに対し第２ブラシが着脱自在に装着可能な清掃用具としては、特許文献１に記載された清掃用ブラシ、及び特許文献２に記載された清掃用柄付きブラシがある。
特許文献１に記載された清掃用ブラシは、端部に第１のブラシが設けられた第１の部材と、端部の先端に第２のブラシが設けられた第２の部材とから構成され、これらは結合により棒状体とされ、必要に応じて分離することができる。
【０００３】
特許文献２に記載された清掃用ブラシは、柄と、柄の先端部に着脱可能に取り付けた平板状のブラシ体により構成され、柄の内側には、網戸をサッシュに嵌め込んだまま網戸の網を清掃するとき、サッシュの溝を清掃するのに便利な付属ブラシを着脱可能に備え付けられている。
【先行技術文献】
【特許文献】
【０００４】
【特許文献１】特開２０１５−７０９９８号公報
【特許文献２】特開２００３−１００７４号公報
【考案の概要】
【考案が解決しようとする課題】
【０００５】
一般家庭において、浴室や玄関等の掃除にブラシがついた清掃用具が用いられるが、角型の大きなブラシでは、浴室の床と壁面との境目は掃除しにくく、一方、小型のブラシでは面積の大きい床を掃除する場合には効率がよくない。このような用途には、第１ブラシに対し第２ブラシが着脱自在に装着可能な清掃用具が便利であるが、特許文献１及び２に記載のような棒状体や柄のついた清掃用具は、浴室の床や壁についた汚れをこすりとるような用途には適さず、収納も不便である。
【０００６】
本考案は、上記の課題に鑑みてなされたものであり、第１ブラシに対し第２ブラシが容易に着脱可能であって、収納に便利な清掃用具を提供することを目的とする。
【課題を解決するための手段】
【０００７】
（１）  本考案に係る清掃用具は、第１のブラシ台と、該第１のブラシ台の下面に設けられた第１のブラシ毛と、前記第１のブラシ台の上面に設けられた弓状の第１の取っ手とを有し、該第１の取っ手が前記第１のブラシ台の長さ方向に沿って設けられた第１のブラシと、
第２のブラシ台と、該第２のブラシ台の下面に設けられた第２のブラシ毛と、前記第２のブラシ台の上面に一方の端部が設けられた円弧状の第２の取っ手とを有する第２のブラシと、を備え、
前記第１のブラシ台の前端に前端係合部が設けられ、前記第２のブラシ台の後端に前記前端係合部と係合する被係合部が設けられ、
前記第１の取っ手は、前記第１のブラシ台の上面から上方に突出して後方に延びる２つの側面部と該２つの側面部間に設けられた中央部とを有し、該中央部の後端部には第１の段差部が設けられ、前記第２の取っ手には該第１の段差部と係合する第２の段差部が設けられ、
前記第１のブラシと前記第２のブラシとを組み合わせる場合に、前記第２の取っ手の一部は前記第１の取っ手内に収納され、前記前端係合部と前記被係合部とが係合し、前記第１の段差部と前記第２の段差部とが係合する、清掃用具である。
【０００８】
（２）  上記（１）の清掃用具において、前記第２の取っ手は、前記第１のブラシと前記第２のブラシとを組み合わせる場合に、前記中央部の上端部が入る溝を有してもよい。
【０００９】
（３）  上記（１）又は（２）の清掃用具において、前記第２の取っ手の他方の端部近傍には、第３のブラシ毛を設ける平面部を有してもよい。
【００１０】
（４）  上記（３）の清掃用具において、前記平面部の前側の端部は前記第２の段差部を構成してもよい。
【００１１】
（５）  上記（１）から（４）のいずれかの清掃用具において、前記第２の取っ手の他方の端部近傍に開口部を有してもよい。
【考案の効果】
【００１２】
本考案によれば、第１ブラシに対し第２ブラシが容易に着脱可能であって、収納に便利な清掃用具を得ることができる。
【図面の簡単な説明】
【００１３】
【図１】本考案の一実施形態に係る清掃用具を示す、側面方向から見た斜視図である。
【図２】本考案の一実施形態に係る清掃用具を示す、正面方向から見た斜視図である。
【図３】本考案の一実施形態に係る清掃用具の分解図である。
【図４】本考案の一実施形態に係る清掃用具の第１のブラシを上から見た上面図である。
【図５】本考案の一実施形態に係る清掃用具の第２のブラシを下から見た背面図である。
【図６】本考案の一実施形態に係る清掃用具の第１の取っ手の段差部と第２の取っ手の段差部との係合を示す一部断面図である。
【考案を実施するための形態】
【００１４】
以下、本考案の実施形態について図面を用いて詳細に説明する。
図１は本考案の一実施形態に係る清掃用具を示す、側面方向から見た斜視図である。図２は本考案の一実施形態に係る清掃用具を示す、正面方向から見た斜視図である。図３は本考案の一実施形態に係る清掃用具の分解図である。
【００１５】
図１〜図３に示すように、本実施形態の清掃用具は、第１のブラシ１と、第２のブラシ２とを備えている。図３に示すように、第１のブラシ１は第２のブラシ２に着脱自在に装着可能となっている。第１のブラシ１と第２のブラシ２は分離してそれぞれ清掃に使用することができ、第１のブラシ１に第２のブラシ２を装着して、アイロン形状として清掃に使用することもできる。
以下、第１のブラシ１と、第２のブラシ２との構成と動作、及び第１のブラシ１と第２のブラシ２を組み合わせた清掃用具の構成と動作について説明する。
【００１６】
＜第１のブラシ＞
第１のブラシ１は、図１〜図３に示すように、取っ手１１、ブラシ台１２、及びブラシ毛１３を備える。図４は第１のブラシ１を上から見た上面図である。
取っ手１１はブラシ台１２の上面に一体化して設けられており、手で握りやすいように弓状となっている。なお、弓状は、アーチ状、「コ」の字状、又は「Ｍ」字状であってもよいが、これらを総称して弓状として説明する。取っ手１１はブラシ台１２の長さ方向に沿って設けられており、図３に示すように、第１の側面部１１Ａ、中央部１１Ｂ、第２の側面部１１Ｃ、及び底面部１１Ｄを備えている。第１の側面部１１Ａ、中央部１１Ｂ、及び第２の側面部１１Ｃは、底面部１１Ｄに対して垂直に配置されている。図３及び図４に示すように、第１及び第２の側面部１１Ａ、１１Ｃは第１のブラシ１の前端部から後端部まで延びている。中央部１１Ｂは第１のブラシ１の前端部から延びているが、中央部１１Ｂの長さは第１及び第２の側面部１１Ａ、１１Ｃよりも短くなっている。
取っ手１１は、第１の側面部１１Ａ、中央部１１Ｂ、第２の側面部１１Ｃが並んだ部分の縦断面は「Ｅ」字形状となっている。
【００１７】
ブラシ台１２は、図４に示すように、上から見た場合、前方向に向かって幅が狭くなるような、先端が切断されたアイロン形状（砲弾形状又はロケット形状ともいう）をなしている。
【００１８】
ブラシ毛１３はブラシ台１２の下面にブラシ台１２の形状に対応するように植毛されている。ブラシ毛１３の材質は、例えば、ナイロン、ポリプロピレン、ポリエステル等の化学繊維、又はパーム等の植物繊維を用いることができる。
第１のブラシ１は、単独で使用する場合は、浴室の床や壁面、玄関の床等の比較的広い面の清掃に適する。
【００１９】
＜第２のブラシ＞
第２のブラシ２は、取っ手２１、ブラシ台２２、ブラシ毛２３、及びブラシ毛２４を備える。図５は第２のブラシ２を下から見た背面図である。
取っ手２１は、図５に示すように、第１の側面部２１Ａ、底面部２１Ｂ、第２の側面部２１Ｃ、底面部２１Ｂに設けられた溝２１Ｄ、及び下面部２１Ｅを備えている。下面部２１Ｅはブラシ毛２４が実際は植毛されているが、図５では植毛は省略された面を示している。
取っ手２１は円弧形状となっている。取っ手２１の一方の端部はブラシ台２２の上面と一定化しており、他方の端部は開口部２５を有する。開口部２５を壁面に取り付けたフックに通すことで、第２のブラシ２又は、第２のブラシ２を第１のブラシ１装着した清掃用具を壁面に吊るすことが可能となる。
【００２０】
ブラシ台２２は、上方から見た場合、先端が頂角となる二等辺三角形の形状をなしている。
ブラシ毛２３はブラシ台２２の下面部２２Ｂにブラシ台２２の形状に対応するように植毛されている。ブラシ毛２３の材質は、ブラシ毛１３の材質と同様に、ナイロン、ポリプロピレン、ポリエステル等の化学繊維、又はパーム等の植物繊維等を用いることができる。ブラシ毛２３の材質は、ブラシ毛１３の材質と同じでもよいし、異なってもよい。また、ブラシ毛２３の線径（直径）、ブラシ台２２にブラシ毛２３を植毛するときの密度も、ブラシ毛１３の線径（直径）、ブラシ台１２にブラシ毛１３を植毛するときの密度と同じでもよいし、異なってもよい。
例えば、ブラシ毛２３をブラシ毛１３よりも柔軟性のある材料で構成して、ブラシ毛２３を用いて清掃面の溝内の汚れを取れやすくすることができる。
また、ブラシ毛２３をブラシ毛１３よりも柔軟性のある材料で構成した場合、第２のブラシ２を第１のブラシ１に装着して、溝のある面を清掃するときに、溝内の汚れは主として第２のブラシ２のブラシ毛２３でとり、溝以外の汚れは主として第１のブラシ１のブラシ毛１３でとるようにすることができる。
【００２１】
ブラシ毛２４は、取っ手２１の開口部２５より内側の下面部（平面部）２１Ｅに植毛されている。下面部２１Ｅの端部２１ＥＥは第２の段差部を構成する。ブラシ毛２４の材質は、ブラシ毛２３の材質と同様に、ナイロン、ポリプロピレン、ポリエステル等の化学繊維、又はパーム等の植物繊維等を用いることができる。ブラシ毛２４の材質は、ブラシ毛２３の材質と同じでもよいし、異なってもよい。また、ブラシ毛２４の線径（直径）、取っ手２１にブラシ毛２４を植毛するときの密度も、ブラシ毛２３の線径（直径）、ブラシ台２２にブラシ毛２３を植毛するときの密度と同じでもよいし、異なってもよい。また、ブラシ毛２４の長さをブラシ毛２３より長くして、狭い箇所での清掃でごみや汚れを掻き出ししやすいようにしてもよい。
例えば、ブラシ毛２４をブラシ毛２３よりも柔軟性のある材料で構成して、傷つきやすい清掃面の汚れを取る場合の清掃に用いることができる。
【００２２】
＜第１のブラシと第２のブラシとを組み合わせた清掃用具＞
第１のブラシ１と第２のブラシ２とを組み合わせるときに、第２のブラシ２は、図１〜図３に示すように、取っ手２１の一部が第１のブラシの第１の側面部１１Ａと第２の側面部１１Ｃとの間に挿入されて収納される。このとき、第１のブラシ１の第１の側面部１１Ａの内面に第２のブラシ２の第１の側面部２１Ａの外面の少なくとも一部が接し、第１のブラシ１の第２の側面部１１Ｃの内面に第２のブラシ２の第２の側面部２１Ｃの外面の少なくとも一部が接するようにする。
【００２３】
取っ手２１の一部が第１のブラシ１の第１の側面部１１Ａと第２の側面部１１Ｃとの間に挿入されたとき、ブラシ台２２の凸部２２Ａ（被係合部となる）は、第１のブラシ１のブラシ台１２の先端に設けられた凹部（不図示、前端係合部となる）に係合する（嵌めこまれる）。また、取っ手１１の中央部１１Ｂの上端部は第２のブラシ２の溝２１Ｄに嵌めこまれる。第２のブラシ２の下面部２１Ｅの端部２１ＥＥ（第２の段差部となる）は中央部１１Ｂの段差部１１ＢＥ（第１の段差部となる）に係合する。こうして、第１のブラシ１と第２のブラシ２とを組み合わせることができる。図６は第１の取っ手１１の段差部１１ＢＥと第２の取っ手２１の端部２１ＥＥ（第２の段差部）との係合を示す一部断面図である。
【００２４】
ブラシ台２２の厚さは、第１のブラシ１のブラシ台１２の厚さと同じでなくともよいが、同じ厚さとすることで、第１のブラシ１と第２のブラシ２とを組み合わせたときに、第１のブラシ１と第２のブラシ２とが連続的につながるように見えるので、全体的に一体化された美観を生じさせ、より好ましい。また、ブラシ台２２の後端部の辺の長さ（幅）は、ブラシ台１２の前端部の辺の長さ（幅）と同じになるようにする。
【００２５】
取っ手２１の一部が第１のブラシの第１の側面部１１Ａと第２の側面部１１Ｃとの間に挿入されたとき、ブラシ毛２４は、中央部１１Ｂの長さが第１及び第２の側面部１１Ａ、１１Ｃの長さよりも短いことにより生じた、第１の側面部１１Ａと第２の側面部１１Ｃとの間の後部の空間に収納される。
第１のブラシ１から第２のブラシ２を取り外す場合には、第２のブラシ２の後端部を持ち上げて、第２のブラシ２の下面部２１Ｅの端部２１ＥＥを中央部１１Ｂの段差部１１ＢＥから外し、溝２１Ｄから中央部１１Ｂを取り外す。そして、第２のブラシ２を前方向に動かすと、ブラシ台２２の凸部２２Ａは、ブラシのブラシ台１２の先端に設けられた凹部（不図示）から外れる。こうして、第２のブラシ２は第１のブラシ１から分離される。
【００２６】
図１及び図２に示すように、第１のブラシ１に第２のブラシ２が装着されると、清掃用具の形状はアイロン形状となる。このような、アイロン形状の清掃用具は、先端が尖っているために、床と壁面との境目等の角の清掃が容易となる。
【００２７】
以上のように構成された本実施形態の清掃用具は、第１のブラシ１と第２のブラシ２をそれぞれ単独で使用することができるとともに、第１のブラシ１と第２のブラシ２とを組み合わせても使用することができ、清掃面の広さ、清掃箇所の形状や汚れ状況等に応じて適宜選択することができる。
【００２８】
第１のブラシ１と第２のブラシ２とは、ブラシ台２２の凸部２２Ａとブラシ台１２の先端に設けられた凹部との係合、取っ手１１の中央部１１Ｂの上部と第２のブラシ２の溝２１Ｄとの係合、及び第２のブラシ２の下面部２１Ｅの端部（段差部）２１ＥＥと中央部１１Ｂの段差部１１ＢＥとの係合との三箇所で係合が行われる。よって、第１のブラシ１と第２のブラシ２とは簡単には分離されず、組み合わせ状態で安定して使用することができる。なお、第１のブラシ１と第２のブラシ２とは、ブラシ台２２の凸部２２Ａとブラシ台１２の先端の設けられた凹部との係合、及び取っ手１１の中央部１１Ｂの上部と第２のブラシ２の溝２１Ｄとの係合との二箇所で係合が行われてもよい。
【００２９】
ブラシ毛２４は、第１のブラシ１と第２のブラシ２との組み合わせたときには、第１の側面部１１Ａと第２の側面部１１Ｃとの間の空間に収納されるので、使用時に邪魔になることはない。
【００３０】
上述した実施形態は、本考案の好適な実施形態ではあるが、上記実施形態のみに本考案の範囲を限定するものではなく、本考案の要旨を逸脱しない範囲において種々の変更を施した形態での実施が可能である
【符号の説明】
【００３１】
１  第１のブラシ
２  第２のブラシ
１１  取っ手
１２  ブラシ台
１３  ブラシ毛
２１  取っ手
２２  ブラシ台
２３、２４  ブラシ毛
【図１】
0003216442.tif 000003
【図２】
0003216442.tif 000004
【図３】
0003216442.tif 000005
【図４】
0003216442.tif 000006
【図５】
0003216442.tif 000007
【図６】
0003216442.tif 000008